(57)【要約】【課題】  小入力信号に対する振幅変位の直線性確保、および、大入力信号に対する振幅制限という、相反する性能を両立させることができ、さらに前後振幅の対称性がよく、歪が少ないダンパーおよびスピーカーを提供する。【解決手段】  平坦部が、基準平面を規定する外周部よりも寸法ｈ０だけ高い位置の平面上に設けられるとともに、コルゲーション部の隣り合う２つの山部の間の半径方向の距離ｄｘが、内周部側から外周部側に向かうにつれて小さくなり、かつ、最も内周側および最も外周側の山部を除いて、ひとつの山部とその両側に位置するそれぞれの谷部との間の半径方向の距離ｄｙが、内周部側および外周部側でそれぞれ等しく、コルゲーション部の山部および谷部の基準平面からの高さ寸法ｈが、コルゲーション部の中央部で最も高く、内周部側または外周部側に至るにつれて順次低くなる。【選択図】  図２
2010093325.tif 000002
【特許請求の範囲】
【請求項１】
ボイスコイルボビンと接合する内周部と、フレームと接合する外周部と、該内周部と該外周部とを連結する支持可動部とを備え、
該支持可動部が、該内周部から延設される平坦部と、該平坦部から延設されて複数の山部および複数の谷部を有するコルゲーション部と、を含み、
該平坦部が、基準平面を規定する該外周部よりも寸法ｈ０だけ高い位置の平面上に設けられるとともに、
該コルゲーション部の隣り合う２つの該山部の間の半径方向の距離ｄｘが、該内周部側から該外周部側に向かうにつれて小さくなり、
最も内周側および最も外周側の該山部を除いて、ひとつの該山部とその両側に位置するそれぞれの該谷部との間の半径方向の距離ｄｙが、該内周部側および該外周部側でそれぞれ等しく、
最も外周側の該山部と該外周部の内周端との間の半径方向の距離ｄｎが、最も外周側の該山部とその内周側に位置する該谷部との間の半径方向の距離ｄｍよりも大きく、
該コルゲーション部の該山部および該谷部の該基準平面からの高さ寸法ｈが、該コルゲーション部の中央部で最も高く、該内周部側または該外周部側に至るにつれて順次低くなる、
ダンパー。
【請求項２】
前記平坦部の外周端と最も内周側の前記山部との間の半径方向の距離ｄａが、最も内周側の該山部とその外周側に位置する前記谷部との間の半径方向の距離ｄｂの１／２以下である、
請求項１に記載のダンパー。
【請求項３】
前記コルゲーション部を規定する前記山部が、５つ以上７つ以下である、
請求項１または２に記載のダンパー。
【請求項４】
請求項１から３のいずれかに記載のダンパーを備えたスピーカー。
【発明の詳細な説明】
【技術分野】
【０００１】
本発明は、音響再生のためのスピーカーに用いるダンパー、およびこれを用いたスピーカーに関する。
【背景技術】
【０００２】
スピーカー用のダンパーは、振動板およびボイスコイルボビンを含む振動系を所定位置に支持し、かつ、良好に振動可能にするために、その内周部がボイスコイルボビンに接合し、その外周部がフレーム又は磁気回路等に接合し、支持可動部が内周部と外周部とを連結する。従来のダンパーでは、支持可動部を波形のコルゲーションとしたコルゲーションダンパーが多く使用され、綿糸、アラミド繊維糸等の織布にフェノール樹脂、メラミン樹脂等の樹脂を含浸したプリプレグを基材として、金型で加熱成型することにより製造される。スピーカーが円形振動板を備える場合には、ダンパーの内周部および外周部と、支持可動部のコルゲーションとは、同心円状に形成されることが多い。
【０００３】
コルゲーションダンパーの形状および材料などについては、小入力信号に対する振幅変位の直線性確保、および、大入力信号に対する振幅制限という、相反する性能が求められるので、従来から様々な検討がなされている。例えば、スティフネス対称性および振幅対称性を改善するために、山部と谷部とを有する複数のコルゲーションを含み、最外周部の山谷間ピッチがそれ以外の山谷間ピッチよりも大きく、最外周部の山部の高さが他の山部の高さよりも高く、最外周部の山部の半径が他の山部の半径よりも小さくされたダンパーがある（特許文献１）。また、ダンパーに同心円状に設けたコルゲーションの山の高さを半径方向に変化させ、その変化の割合がボイスコイル側ならびにフレーム側の両固定端より順に高くし、中間近傍が最も高くなるように形成したダンパーがある（特許文献２）。または、ダンパーの内周の波形を外周の波形よりもより大きく形成する、あるいは、ダンパーの内周の波形の幅を外周の波形の幅よりもより広く形成したスピーカーがある（特許文献３）。
【０００４】
【特許文献１】特許第３８３５２１１号公報  （第１図、第２図）
【特許文献２】実開昭５７−１８５２９７号公報  （第４図、第５図）
【特許文献３】特開２００３−１１１１９１号公報  （第１図、第２図）
【０００５】
しかしながら、従来技術のダンパーでは、いずれも充分ではない。特に、特許文献２のようなコルゲーションの山の高さを半径方向に変化させて中間近傍が最も高くなるように形成したダンパーは、振幅変位の直線性確保においては有利であっても、必要な振幅が取りにくくなるという問題がある。また、振幅を確保しようすると、前後振幅の対称性の点で改善が両立しない場合があり、ダンパーの支持可動部を設計する上で、効率よく設計することが困難であるという問題がある。なお、前後振幅の前後とは、スピーカーの振動板が振動する場合に、ダンパーが取り付けられる側を後側とし、振動板が露出する側を前側としている。
【発明の開示】
【発明が解決しようとする課題】
【０００６】
本発明は、上記の従来技術が有する問題を解決するためになされたものであり、その目的は、ダンパーおよびこれを用いたスピーカーに関し、小入力信号に対する振幅変位の直線性確保、および、大入力信号に対する振幅制限という、相反する性能を両立させることができ、さらに前後振幅の対称性がよく、歪が少ないダンパーおよびスピーカーを提供することにある。
【課題を解決するための手段】
【０００７】
本発明のダンパーは、ボイスコイルボビンと接合する内周部と、フレームと接合する外周部と、内周部と外周部とを連結する支持可動部とを備え、支持可動部が、内周部から延設される平坦部と、平坦部から延設されて複数の山部および複数の谷部を有するコルゲーション部と、を含み、平坦部が、基準平面を規定する外周部よりも寸法ｈ０だけ高い位置の平面上に設けられるとともに、コルゲーション部の隣り合う２つの山部の間の半径方向の距離ｄｘが、内周部側から外周部側に向かうにつれて小さくなり、最も内周側および最も外周側の山部を除いて、ひとつの山部とその両側に位置するそれぞれの谷部との間の半径方向の距離ｄｙが、内周部側および外周部側でそれぞれ等しく、最も外周側の山部と外周部の内周端との間の半径方向の距離ｄｎが、最も外周側の山部とその内周側に位置する谷部との間の半径方向の距離ｄｍよりも大きく、コルゲーション部の山部および谷部の基準平面からの高さ寸法ｈが、コルゲーション部の中央部で最も高く、内周部側または外周部側に至るにつれて順次低くなる。
【０００８】
好ましくは、本発明のダンパーは、平坦部の外周端と最も内周側の山部との間の半径方向の距離ｄａが、最も内周側の山部とその外周側に位置する谷部との間の半径方向の距離ｄｂの１／２以下である。
【０００９】
また、好ましくは、本発明のダンパーは、コルゲーション部を規定する山部が、５つ以上７つ以下である。
【００１０】
また、好ましくは、本発明のスピーカーは、本発明のいずれかのダンパーを備える。
【００１１】
以下、本発明の作用について説明する。
【００１２】
本発明のダンパーは、支持可動部が複数の山部と谷部とを有するコルゲーション部を有するダンパーであって、ボイスコイルボビンと接合する内周部と、フレームと接合する外周部と、内周部と外周部とを連結する支持可動部とを備え、支持可動部は、コルゲーション部の他に内周部から延設される平坦部を含んでいる。ここで、平面状で同一の基準平面は、外周部を含むように規定されているので、平坦部は、基準平面を規定する該外周部よりも寸法ｈ０だけ高い位置の平面上に設けられて、その結果、本発明のダンパーは、平ダンパーであっても、内周部と外周部とが、同一の基準平面上に含まれない形状を形成している。なお、コルゲーション部を規定する山部は、５つ以上７つ以下であるのが適当である。
【００１３】
ここで、コルゲーション部の隣り合う２つの山部の間の半径方向の距離ｄｘが、内周部側から外周部側に向かうにつれて小さくなり、かつ、最も内周側および最も外周側の山部を除いて、ひとつの山部とその両側に位置するそれぞれの谷部との間の半径方向の距離ｄｙが、内周部側および外周部側でそれぞれ等しい。また、最も外周側の山部と外周部の内周端との間の半径方向の距離ｄｎが、最も外周側の山部とその内周側に位置する谷部との間の半径方向の距離ｄｍよりも大きい。
【００１４】
つまり、本発明のダンパーは、基本的には、隣り合う２つの山部の間の半径方向の距離ｄｘが、内周部側から外周部側に向かうにつれて小さくなるダンパーであるものの、ひとつの山部からみると両側の谷部への斜面の形状がほぼ対称になるように、山部とその両側に位置するそれぞれの谷部との間の半径方向の距離ｄｙが、内周部側および外周部側でそれぞれ等しい。ダンパーの支持可動部を変形させる応力は、駆動力が発生するボイスコイルに近い内周部側から、ダンパーが固定される外周部側に向かうにつれて伝わりにくくなるが、本発明のダンパーでは、それが改善される。したがって、本発明のダンパーは、振幅変位の直線性確保において有利であり、リニアリティの良い、歪が少ないダンパーが実現され、その結果、本発明のスピーカー用ダンパーを備えるスピーカーは、音質および耐久性に優れる。
【００１５】
さらに、本発明のダンパーは、コルゲーション部の山部および谷部の基準平面からの高さ寸法ｈが、コルゲーション部の中央部で最も高く、内周部側または外周部側に至るにつれて順次低くなる。したがって、山部および谷部の基準平面からの高さが最も高いコルゲーション部の中央部の動きを滑らかにすることができる。したがって、振幅変位の直線性確保と、前後対称性の改善のみならず、大入力信号に対する振幅制限を実現できる。
【００１６】
具体的には、平坦部の外周端と最も内周側の山部との間の半径方向の距離ｄａが、最も内周側の山部とその外周側に位置する谷部との間の半径方向の距離ｄｂの１／２以下であるダンパーが、より好ましい。本発明のダンパーの支持可動部の断面形状は、基本的には平ダンパーであり、最内周側ならびに最外周側における山部および谷部を規定する半径方向の距離ｄａ、ｄｂ、ｄｎ、および、ｄｍを上記のような関係にすることで、最も内周側の山部と、最も外周側の山部とが大きく変形するような、ボイスコイルの振幅変位が大きくなった場合でも、コルゲーション部の動きを滑らかにすることができ、振幅変位の直線性確保と、前後対称性の改善のみならず、大入力信号に対する振幅制限を実現できる。
【発明の効果】
【００１７】
本発明のダンパーは、小入力信号に対する振幅変位の直線性確保、および、大入力信号に対する振幅制限という、相反する性能を両立させることができ、さらに前後振幅の対称性がよく、歪が少ないダンパー、およびこれを用いたスピーカーを提供することができる。
【発明を実施するための最良の形態】
【００１８】
本発明のダンパーおよびこれを用いたスピーカーは、上記の本発明の目的を、ボイスコイルボビンと接合する内周部と、フレームと接合する外周部と、内周部と外周部とを連結する支持可動部とを備え、支持可動部が、内周部から延設される平坦部と、平坦部から延設されて複数の山部および複数の谷部を有するコルゲーション部と、を含み、平坦部が、基準平面を規定する外周部よりも寸法ｈ０だけ高い位置の平面上に設けられるとともに、コルゲーション部の隣り合う２つの山部の間の半径方向の距離ｄｘが、内周部側から外周部側に向かうにつれて小さくなり、最も内周側および最も外周側の山部を除いて、ひとつの山部とその両側に位置するそれぞれの谷部との間の半径方向の距離ｄｙが、内周部側および外周部側でそれぞれ等しく、  最も外周側の山部と外周部の内周端との間の半径方向の距離ｄｎが、最も外周側の山部とその内周側に位置する谷部との間の半径方向の距離ｄｍよりも大きく、コルゲーション部の山部および谷部の基準平面からの高さ寸法ｈが、コルゲーション部の中央部で最も高く、内周部側または外周部側に至るにつれて順次低くなるようにすることにより、実現した。
【００１９】
以下、本発明の好ましい実施形態によるダンパーおよびこれを用いたスピーカーについて説明するが、本発明はこれらの実施形態には限定されない。
【実施例１】
【００２０】
図１は、本発明の好ましい実施形態によるダンパー１を用いたスピーカー１０について説明する断面図であり、軸対称の左半分は省略して記載している。スピーカー１０は、ダンパー１と、磁気空隙を有する磁気回路１１と、磁気回路１１と連結するフレーム１２と、ボイスコイル１３が巻回されたボビン１４と、ボビン１４と連結する振動板１５と、振動板１５の外周端を振動可能に支持するエッジ１６と、ボビン１４の端部を覆うように連結するダストキャップ１７と、を備える。なお、本実施例のフレーム１２は、鉄板をプレス成形したフレームであり、後述するダンパー１の外周部３との間に、樹脂を成形したリング状のダンパー台１２ａを有している。
【００２１】
ダンパー１は、ボイスコイル１３を磁気回路１１の磁気空隙に配置し、ボイスコイル１３、ボビン１４、振動板１５、エッジ１６、および、ダストキャップ１７とともに、スピーカーの振動系を構成する。ダンパー１は、ボイスコイル１３に流れる音声信号電流に応じて生じる駆動力によって、振動板１５が歪むことなく振動可能なように、ボビン１４を支持固定する。なお、本実施例のスピーカー１０は、口径１２ｃｍの外磁型磁気回路１１を備えるスピーカーである。
【００２２】
図２は、本実施例のダンパー１について説明する図である。図２（ａ）は、ダンパー１の半径方向の断面図であり、図２（ｂ）は、ダンパー１の荷重に対する変位特性を説明する特性図である。なお、変位特性のグラフは、前後対称性を確認しやすくするために、縦軸を変位の絶対値で表示し、負の変位量に対する荷重の値を折り返して表示している。これらのグラフでは、前方向（正の変位量）の場合と後ろ方向（負の変位量）の場合とで、重なり合うほど前後対称性が良く、ずれて重ならないほど前後対称性が良くないことを表している。
【００２３】
ダンパー１は、綿およびアラミド系樹脂繊維の複数の縦糸および横糸が概略直交する織布に、フェノール樹脂を含浸したプリプレグを基材とし、金型で加熱成型されて、内周および外周を切断されて形成されるダンパーである。ダンパー１は、ボビン１４と接合する接合部ならびに立ち下がり状の輪郭部を備える内周部２と、フレーム１２と接合する平面状の接合部ならびに立ち上がり状の輪郭部を備える外周部３と、内周部２と外周部３とを連結する支持可動部４とを備える。内周部２および外周部３の接合部は、接着剤が塗布されて固定される部分である。また、支持可動部４は、内周部２から延設される平坦部５と、平坦部５から延設されて複数の山部６ａおよび複数の谷部６ｂを有するコルゲーション部６と、を含む。
【００２４】
支持可動部４の平坦部５は、基準平面３ａを規定する外周部３よりも寸法ｈ０（＝０．２ｍｍ）だけ高い位置の平面上に設けられる。つまり、本実施例のダンパー１は、前側（図示した断面形状において上側）へ凸状のロールである山部６ａが５個出現し、一方、前側からみて凹状のロールである谷部６ｂが４個出現するコルゲーションを備え、いわゆる平ダンパーの形状を形成しているものの、内周部２が基準平面上３ａに含まれない、段差を有する形状を形成している。本実施例のダンパー１の寸法は、外周部３の外径φＢが約１００．０ｍｍ、平坦部５の内径が約φ２７．３ｍｍ、平坦部５の外径であってコルゲーション部６の内径が約φ３０．２ｍｍ、コルゲーション部６の外径であって外周部３の内径が約φ９３．０ｍｍ、である。
【００２５】
ダンパー１においては、コルゲーション部６の隣り合う２つの山部６ａの間の半径方向の距離ｄｘは、内周部２側から外周部３側に向かうにつれて小さくなり、かつ、最も内周側の山部６ａｉおよび最も外周側の山部６ａｏを除いて、ひとつの山部６ａとその両側に位置するそれぞれの谷部６ｂとの間の半径方向の距離ｄｙが、内周部側および外周部側でそれぞれ等しくなるようにコルゲーション部６が形成されている。つまり、図２（ａ）に示すように、隣り合う２つの山部の間の半径方向の距離ｄｘは、ｄｘ１（＝８．２ｍｍ）＞ｄｘ２（＝７．１ｍｍ）＞ｄｘ３（＝６．２ｍｍ）＞ｄｘ４（＝５．４ｍｍ）という関係になり、内周部側から外周部側に向かうにつれて小さくなる。また、例えば、内周部２側から２つ目の山部６ａでは、内周部側および外周部側で等しくｄｙ１（＝３．８ｍｍ）となるように、内周部２側から３つ目の山部６ａでは、内周部側および外周部側で等しくｄｙ２（＝３．３ｍｍ）となるように、内周部２側から４つ目の山部６ａでは、内周部側および外周部側で等しくｄｙ３（＝２．９ｍｍ）となるように、コルゲーション部６が形成されている。
【００２６】
さらに、ダンパー１においては、平坦部５の外周端と最も内周部２側の山部６ａｉとの間の半径方向の距離ｄａ（＝１．５ｍｍ）が、最も内周部２側の山部６ａｉとその外周側に位置する谷部６ｂとの間の半径方向の距離ｄｂ（＝４．４ｍｍ）の１／２以下である。また、最も外周部３側の山部６ａｏと外周部３の内周端との間の半径方向の距離ｄｎ（＝３．０ｍｍ）が、最も外周部３側の山部６ａｏとその内周側に位置する谷部６ｂとの間の半径方向の距離ｄｍ（＝２．５ｍｍ）よりも大きい。
【００２７】
また、ダンパー１においては、コルゲーション部６の山部６ａおよび谷部６ｂの基準平面３ａからの高さ寸法ｈが、約−０．８ｍｍ〜＋１．７ｍｍの間で変化し、コルゲーション部６の中央部で最も高く、内周部２側または外周部３側に至るにつれて順次低くなる。具体的には、ダンパー１は、コルゲーション部６の半径方向の断面形状において、５個の山部６ａを形成するそれぞれのロールのロール高が、コルゲーション部６の中央部の山部６ａでｈａ１（＝１．７ｍｍ）と最も高く、内周平坦部５または外周部２に至るにつれて、ｈａ２（＝１．５ｍｍ）、ｈａ３（＝０．８ｍｍ）、と順次低くなる。同様に、基準平面３ａからの高さ寸法ｈで、５個の谷部６ｂを形成するそれぞれのロールのロール高が、コルゲーション部６の中央部の谷部６ｂでｈｂ２（＝０．８ｍｍ）と最も深く、内周平坦部５または外周部２に至るにつれて、ｈｂ１（＝０．５ｍｍ）、と順次浅くなる。なお、谷部６ｂの基準平面３ａからの高さとは、基準平面３ａから見た谷部６ｂの深さを含み、絶対値で表示している。
【００２８】
なお、本実施例のダンパー１は、前側へ凸状のロールである山部６ａが５個出現し、一方、前側からみて凹状のロールである谷部６ｂが４個出現するコルゲーション部６を備える場合であり、上記の関係を有していればよい。好ましくは、ひとつの山部６ａとその両側に位置するそれぞれの谷部６ｂとの間の半径方向の距離ｄｙについては、ｄｂがｄｙ１の約１．０５倍〜１．３０倍、ｄｙ１がｄｙ２の約１．０５倍〜１．３０倍、ｄｙ２がｄｙ３の約１．０５倍〜１．３０倍、ｄｙ３がｄｙｍの約１．０５倍〜１．３０倍、の範囲であればよい。
【００２９】
また、図３は、比較例１のダンパー２１を説明する図である。図３（ａ）は、ダンパー２１の半径方向の断面図であり、図３（ｂ）は、ダンパー２１の荷重に対する変位特性を説明する特性図である。比較例１のダンパー２１は、本実施例のダンパー１と、ほぼ同一形状寸法の内周部２２および外周部２３と、ほぼ同一形状寸法の支持可動部２４のコルゲーション部２６と、を備えるものの、支持可動部２４の平坦部２５の高さ寸法ｈ０が０であって、基準平面３ａを規定する外周部２３と同じ平面上に平坦部２５が設けられる比較例である。具体的には、比較例１のダンパー２１は、段差を有しない平ダンパーである。なお、比較例１のダンパー２１について、材料およびその他の本実施例と共通する部分については、説明ならびに図示を省略する。
【００３０】
また、図４は、他の比較例２のダンパー３１を説明する図である。図４（ａ）は、ダンパー３１の半径方向の断面図であり、図４（ｂ）は、ダンパー３１の荷重に対する変位特性を説明する特性図である。比較例２のダンパー３１は、先の比較例のダンパー２１と同様に、基準平面３ａを規定する外周部３３と同じ平面上に平坦部３５が設けられる平ダンパーであり、コルゲーション部３６の山部３６ａおよび谷部３６ｂの半径方向の距離ｄ（＝３．５ｍｍ）を、一定にした場合の比較例である。なお、比較例２のダンパー３１についても、材料およびその他の本実施例と共通する部分については、説明ならびに図示を省略する。
【００３１】
さらに、図５は、他の比較例３のダンパー４１を説明する図である。図５（ａ）は、ダンパー４１の半径方向の断面図であり、図５（ｂ）は、ダンパー４１の荷重に対する変位特性を説明する特性図である。比較例３のダンパー４１は、先の比較例のダンパー２１、ダンパー３１と同様に、基準平面３ａを規定する外周部４３と同じ平面上に平坦部４５が設けられる平ダンパーであり、先の比較例のダンパー３１からさらに、コルゲーション部４６の山部４６ａおよび谷部４６ｂの高さｈ（＝２．４ｍｍ）を、一定にした場合の比較例である。なお、比較例３のダンパー４１についても、材料およびその他の本実施例と共通する部分については、説明ならびに図示を省略する。
【００３２】
図２（ｂ）〜図５（ｂ）の荷重に対する変位特性を説明する特性図を比較すると分かるように、本実施例のダンパー１は、他の比較例１〜３のダンパー２１、３１、４１に比較して、振幅変位の直線性が改善されるとともに、特に荷重が大きくて１０ｍｍを超えるような大振幅となる場合にも、前後対称性が改善される。本実施例のダンパー１は、コルゲーション部６の隣り合う２つの山部６ａの間の半径方向の距離ｄｘが、内周部側から外周部側に向かうにつれて小さくなり、かつ、最も内周側の山部６ａｉおよび最も外周側の山部６ａｏを除いて、ひとつの山部６ａとその両側に位置するそれぞれの谷部６ｂとの間の半径方向の距離ｄｙが、内周部側および外周部側でそれぞれ等しく、ひとつの山部６ａからみると両側の谷部６ｂへの斜面の形状がほぼ対称になる。
【００３３】
また、段差を有する平ダンパーであるダンパー１は、最も内周側の山部６ａｉと、最も外周側の山部６ａｏとが大きく変形するような、ボイスコイルの振幅変位が大きくなった場合でも、コルゲーション部の動きを滑らかにすることができ、振幅変位の直線性確保と、前後対称性の改善のみならず、大入力信号に対する振幅制限を実現できる。ダンパー１の支持可動部４を変形させる応力は、駆動力が発生するボイスコイルに近い内周部側から、ダンパー１が固定される外周部側に向かうにつれて伝わりにくくなるが、本発明のダンパーでは、それが改善される。その結果、リニアリティの良い、歪が少ないダンパー１を用いると、本発明のスピーカー１０は、音質および耐久性に優れるものにすることができる。特に、大きな音声信号電流が加わって、スピーカー振動板が大きく変位する場合に、前後対称性が改善されているので、高調波歪における２次歪に代表される偶数次歪を大きく低減することができる。
【実施例２】
【００３４】
図６は、他の実施例のダンパー５１について説明する図である。図６（ａ）は、ダンパー５１の半径方向の断面図であり、図６（ｂ）は、ダンパー５１の荷重に対する変位特性を説明する特性図である。ダンパー５１は、織布に樹脂を含浸したプリプレグを基材として加熱成型される点において先の実施例１のダンパー１と共通し、内周部５２と、外周部５３とを連結する支持可動部５４とを備え、支持可動部５４は、複数の山部および谷部を有するコルゲーション部５６と、内周部５２から延設される平坦部５５と、平坦部５５から延設されて複数の山部６ａおよび複数の谷部６ｂを有するコルゲーション部５６と、を含むように形成されている基本的な構造が同じであることでも共通するので、共通する部分の説明は省略する。
【００３５】
支持可動部５４の平坦部５５は、基準平面５３ａを規定する外周部５３よりも寸法ｈ０（＝０．２ｍｍ）だけ高い位置の平面上に設けられる。つまり、本実施例のダンパー５１は、前側（図示した断面形状において上側）へ凸状のロールである山部５６ａが７個出現し、一方、前側からみて凹状のロールである谷部５６ｂが６個出現するコルゲーションを備え、いわゆる平ダンパーの形状であっても内周部５２が同一の基準平面上５３ａに含まれない、段差を有する形状を形成している。
【００３６】
本実施例のダンパー５１においても、コルゲーション部５６の隣り合う２つの山部５６ａの間の半径方向の距離ｄｘは、内周部５２側から外周部５３側に向かうにつれて小さくなり、かつ、最も内周側の山部５６ａｉおよび最も外周側の山部５６ａｏを除いて、ひとつの山部５６ａとその両側に位置するそれぞれの谷部５６ｂとの間の半径方向の距離ｄｙが、内周部側および外周部側でそれぞれ等しくなるようにコルゲーション部５６が形成されている。つまり、図６（ａ）に示すように、隣り合う２つの山部の間の半径方向の距離ｄｘは、ｄｘ１（＝６．９ｍｍ）＞ｄｘ２（＝６．０ｍｍ）＞ｄｘ３（＝５．２ｍｍ）＞ｄｘ４（＝４．５ｍｍ）＞ｄｘ５（＝３．９ｍｍ）＞ｄｘ６（＝３．４ｍｍ）という関係になり、内周部側から外周部側に向かうにつれて小さくなる。また、例えば、内周部５２側から２つ目の山部５６ａでは、内周部側および外周部側で等しくｄｙ１（＝３．２ｍｍ）となるように、内周部５２側から３つ目の山部５６ａでは、内周部側および外周部側で等しくｄｙ２（＝２．８ｍｍ）となるように、内周部５２側から４つ目の山部５６ａでは、内周部側および外周部側で等しくｄｙ３（＝２．４ｍｍ）となるように、内周部５２側から５つ目の山部５６ａでは、内周部側および外周部側で等しくｄｙ４（＝２．１ｍｍ）となるように、内周部５２側から６つ目の山部５６ａでは、内周部側および外周部側で等しくｄｙ５（＝１．８ｍｍ）となるように、コルゲーション部６が形成されている。
【００３７】
さらに、ダンパー５１においても、平坦部５５の外周端と最も内周部５２側の山部５６ａｉとの間の半径方向の距離ｄａ（＝１．２ｍｍ）が、最も内周部５２側の山部５６ａｉとその外周側に位置する谷部５６ｂとの間の半径方向の距離ｄｂ（＝３．７ｍｍ）の１／２以下である。また、最も外周部５３側の山部５６ａｏと外周部５３の内周端との間の半径方向の距離ｄｎ（＝１．８ｍｍ）が、最も外周部５３側の山部５６ａｏとその内周側に位置する谷部５６ｂとの間の半径方向の距離ｄｍ（＝１．６ｍｍ）よりも大きい。
【００３８】
また、ダンパー５１においても、コルゲーション部５６の山部５６ａおよび谷部５６ｂの基準平面３ａからの高さ寸法ｈが、約−０．６ｍｍ〜＋１．２ｍｍの間で変化し、コルゲーション部５６の中央部で最も高く、内周部５２側または外周部５３側に至るにつれて順次低くなる。
【００３９】
本実施例のダンパー５１においても、荷重が極めて大きい場合にも、前後対称性を良好に保つことができるので、ダンパー５１を用いた（図示しない）スピーカーは、大きな音声信号電流が加わって、スピーカー振動板が大きく変位する場合であっても、高調波歪のうち２次歪に代表される偶数次歪を小さく抑制することができる。
【００４０】
本実施例のダンパー５１においては、コルゲーション部５６を規定する山部が、７つの場合であるが、同心円状の山部が３つの場合でも、９つの場合でも、奇数であれば１１以上の数であっても良い。荷重が極めて大きい場合にも、前後対称性を良好に保つことができる。
【００４１】
なお、本発明のスピーカー用ダンパーの基材は、綿およびポリエステル繊維、もしくはアラミド繊維の織布もしくは不織布でもよく、含浸する樹脂も、フェノール樹脂、もしくは、メラミン樹脂でもよい。本発明は、コルゲーションを備えた熱硬化性樹脂を含むダンパーであれば、基材の材料に制限されない。
【産業上の利用可能性】
【００４２】
本発明のダンパーは、これを用いたスピーカーに限られず、ダンパーと、ボイスコイル等の振動系を備える他の加振器や、センサー等の動電型の電機−機械変換器にも適用が可能である。ダンパーの内周部に接合するのは、磁気回路であってもよく、磁気回路が振動する加振器に適する。
【図面の簡単な説明】
【００４３】
【図１】本発明の好ましい実施形態によるダンパー１を用いたスピーカー１０について説明する断面図である。（実施例１）
【図２】本発明の好ましい実施形態によるダンパー１について説明する図である。（実施例１）
【図３】比較例のダンパー２１について説明する図である。（比較例１）
【図４】比較例のダンパー３１について説明する図である。（比較例２）
【図５】比較例のダンパー４１について説明する図である。（比較例３）
【図６】本発明の他の好ましい実施形態によるダンパー５１について説明する図である。（実施例２）
【符号の説明】
【００４４】
１、１１、２１、３１、４１、５１    ダンパー
２            内周部
３            外周部
４            支持可動部
５            平坦部
６            コルゲーション部
１０          スピーカー
１１          磁気回路
１２          フレーム
１３          ボイスコイル
１４          ボビン
１５          振動板
１６          エッジ
【図１】
2010093325.tif 000003
【図２】
2010093325.tif 000004
【図３】
2010093325.tif 000005
【図４】
2010093325.tif 000006
【図５】
2010093325.tif 000007
【図６】
2010093325.tif 000008